(57)【要約】      （修正有）【課題】操作性に優れ、小型、低コストな泡生成器を提供する。【解決手段】湯水、洗浄剤、泡を収容する容器本体１と、容器本体内の湯水、洗浄剤に浸して圧縮、開放することにより泡を生成する連続気泡タイプのスポンジ６と、スポンジを圧縮、開放するための押圧プレート４などの押圧具、ならびに押圧プレートとの間でスポンジを挟む対向プレートで構成し、押圧プレートを押圧ボタン５で押圧して対向プレートとの間に配置するスポンジを圧縮するとともに、押圧プレートへの押圧を解除してスポンジを開放し、スポンジの自復力により押圧プレートを戻す操作を所要回数繰り返して微細な泡を生成する。【選択図】図１
0003209429.tif 000002
【実用新案登録請求の範囲】
【請求項１】
湯水、洗浄剤に浸したスポンジを圧縮、開放することにより泡を生成する泡生成器に関して、湯水、洗浄剤、泡を収容する容器本体と、容器本体内の湯水、洗浄剤に浸して圧縮、開放することにより泡を生成する連続気泡タイプのスポンジと、スポンジを圧縮、開放するための押圧プレートなどの押圧具、ならびに押圧プレートとの間でスポンジを挟む対向プレートで構成し、押圧プレートを押圧して対向プレートとの間に配置するスポンジを圧縮するとともに、押圧プレートへの押圧を解除してスポンジを開放し、スポンジの自復力により押圧プレートを戻す操作を所要回数繰り返して微細な泡を生成するスポンジ泡生成器。
【請求項２】
連続気泡タイプのスポンジに所定の形状、サイズの孔を設けた、請求項１に記載するスポンジ泡生成器。
【請求項３】
押圧プレートの回転に応じてスポンジを滑りなく回転させるための摩擦構造を有する押圧プレートを備えた、請求項１に記載するスポンジ泡生成器。
【考案の詳細な説明】
【技術分野】
【０００１】本考案は、液体石鹸や粒状石鹸などの石鹸類や洗顔料などの洗浄剤を用いて泡を作りだす際に使用される洗浄剤用の泡生成器に関するものである。
【背景技術】
【０００２】洗浄剤を用いて肌を洗浄する際には、皮膚の表面の汚れを有効に除去するために洗浄剤から生成した泡を用いることが推奨されており、手動、電動などによる多くの泡生成器が実用化されているが、手動のものはネットを用いる方法、多数の孔を開けた昇降板を上下させて昇降板と蓋との間の圧縮を利用する方法、ポンプ形式で空気を加圧する方法などがあり、電動のものはポンプ式が主流になっているが、それぞれが操作性、サイズ、コストなどに課題を抱えている。
【考案が解決しようとする課題】
【０００３】泡の生成方法で、ネットを用いる場合は手で揉む動作が人によっては煩わしく使い勝手が悪い。昇降板を上下させる方法に関しても上下動が煩わしく使い勝手が悪く、ポンプ形式や電動タイプは構造が複雑で大型でコストが高価であるなど、それぞれに課題を有しているため泡の生成に対して操作性に優れ、小型、低コストな新規の泡生成器を提供する。
【課題を解決するための手段】
【０００４】湯水、洗浄剤、泡を収容する容器本体と、容器本体内の湯水、洗浄剤に浸して圧縮、開放することにより泡を生成する連続気泡タイプのスポンジと、スポンジを圧縮、開放するための押圧プレートなどの押圧具、ならびに押圧プレートとの間でスポンジを挟む対向プレートで構成し、押圧プレートを押圧して対向プレートとの間に配置するスポンジを圧縮するとともに、押圧プレートへの押圧を解除してスポンジを開放し、スポンジの自復力により押圧プレートを戻す操作を所要回数繰り返して微細な泡を生成する。
【考案の効果】
【０００５】湯水、洗浄剤に浸した連続気泡タイプのスポンジを押圧具を操作して圧縮、開放することにより微細な泡を生成するとともに、スポンジは圧縮からの開放に際しては自復力を有するため、泡生成のための押圧具の操作は押し下げ方向にのみ力を必要とし、戻りはスポンジにより自復するため泡生成の操作は極めて簡単、容易で、かつ泡生成の基本部材が連続気泡タイプのスポンジであるため小型、低価格な泡生成器が実現される。
【考案を実施するための形態】
【０００６】液体に浸した連続気泡タイプのスポンジは圧縮状態を開放すると自復機能により孔内の空気と置換される形で液体を吸い取り、圧縮すると孔内の液体を容易に放出する性質を利用して簡易な泡生成器が実現される。図１に本考案によるスポンジ泡生成器の実施例を示す。湯水、洗浄剤、泡を収納する容器本体１に湯水、洗浄剤を入れ、連続気泡タイプのスポンジ６を挿入して湯水、洗浄剤に浸す。この状態で押圧ボタン５を押下げて押圧プレート４と対向プレート（容器本体の底面を兼用）との間のスポンジ６を圧縮することにより、スポンジの気泡内の空気が押し出されて収縮し、押圧ボタン５への押圧を解除することにより押圧プレート４はスポンジの自復力により押し戻されるともに、スポンジの気泡が湯水、洗浄剤を吸い込む。この状態で再度押圧ボタン５を押下げることにより、スポンジの気泡内の湯水、洗浄剤、泡がスポンジの気泡を通過して押し出されることにより微細な泡が形成される。このように押圧ボタン５を「押す、離す」を繰り返すことにより簡単に微細な泡が生成される。押圧プレートに形成するプレート孔７は生成された泡を押圧プレートと容器蓋との間の泡受け空間に押し出し、押圧プレートがスポンジにより押し戻される時に容器蓋との間で泡を押し潰す機能を有している。
【０００７】図１に示す生成器は、図２（１）の無孔の円柱構造のスポンジ６を採用している。スポンジを圧縮する押圧構造は押圧プレート４を図３（１）に示す方向でスポンジ上面に押圧プレートの裏面を載せて、押圧ボタン５を容器蓋２のボタン孔３から突出させた状態で、押圧ボタン５を手で操作して泡を生成するため押圧ボタンは常に容器蓋から突出しているため泡を生成しない場合に邪魔になる。一方、図４に示す生成器は請求項２に記載するように、中央部にスポンジ孔８が開口した図２（２）に示す円柱構造のスポンジを採用し、泡を生成する場合は押圧構造の押圧ボタン５を容器蓋２のボタン孔３から突出させる図３（１）と同じ設定で使用するが、泡を生成しない場合や収納時には押圧構造を反転させて押圧ボタンをスポンジ孔８の開口に収納する図３（２）の方向で設定するため、押圧ボタン５が容器蓋２のボタン孔３から突出することは無い。なおスポンジ孔は押圧ボタンを収納するのみではなく、生成した泡を受け取る泡受け空間としても機能する。
【０００８】泡を生成する洗浄剤は液体に限らず固形の場合も有り、固形の場合はスポンジを圧縮しても容易に湯水には溶解しないため、押圧ボタンを回転させて押圧プレートによりスポンジを回転さて固形洗剤を対向プレートに擦り付けることが有効であり、押圧プレートにスポンジの滑り防止の摩擦構造を形成して押圧プレートとスポンジを同一回転させる。図５は押圧プレートの摩擦構造として突起９を形成している。このようにして、湯水、洗浄剤に浸した連続気泡タイのスポンジを押圧具を操作して圧縮、開放することにより微細な泡を生成するとともに、スポンジは圧縮からの開放に際して自復力を有するため、泡生成のための押圧具の操作は押し下げ方向にのみ力を必要とし、戻りはスポンジにより自復するため泡生成の操作は極めて簡単、容易であり、泡生成の基本部材が連続気泡タイプのスポンジであるため小型、低価格な泡生成器が実現される。
【実施例】
【０００９】図１、図２に示す構造において、連続気泡タイプのスポンジを使用し、本体容器はφ８０ｍｍ×６０ｍｍで板厚は２ｍｍ、材質はポリカーボネートとした。連続気泡タイプのスポンジは円柱形でφ７３×５０ｍｍとし、中央部に開口φ１０ｍｍの孔を備え、材質はウレタンフォームとした。押圧具はＡＢＳ樹脂で形成し、押圧プレートはφ７３ｍｍ×２ｍｍとしφ１０ｍｍのプレート孔を複数設け、スポンジの滑り防止として樹脂の突起により摩擦構造を形成した。押圧ボタンはφ８ｍｍ×５０ｍｍとした。押圧プレートとの間でスポンジを圧縮する対向プレートとしては本体容器の内面底を兼用したが、内面が大きく湾曲している場合などには樹脂板や金属板などで対向プレートを専用に形成する。スポンジはナイロン材、押圧プレートはステンレスなどの金属材でも良く、押圧プレートは必ずしも板状で有る必要は無く網状や棒状でも良く、スポンジも円柱形に限るものでは無く矩形などでも良く、摩擦構造は突起には限定されず凹凸、スリットなどでも良い。押圧プレートを押し下げる方法はモーターにより回転する偏心カムによって押圧ボタンを押し下げてスポンジの自復力によって戻すことも可能であるとともに、偏心カムは手動においての回転操作も可能である。押圧具の戻しはスポンジの自復力のみに依存せずに補助バネなどの戻し部材を追加しても良いなど、機能、性能、外観、使用する素材、ディメンジョンなどに関しては本考案の趣旨を逸脱しない範囲であれば種々変形実施が可能である。
【図面の簡単な説明】
【００１０】
【図１】本考案に基づくスポンジ泡生成器の構成概念図を示す
【図２】スポンジの形状概念図を示す
【図３】押圧構造の形状概念図を示す
【図４】スポンジ泡生成器の収納概念図を示す
【図５】押圧プレートにおける摩擦構造の概念図を示す
【符号の説明】１．容器本体
２．容器蓋
３．ボタン孔
４．押圧プレート
５．押圧ボタン
６．スポンジ
７．プレート孔
８．スポンジ孔
９．摩擦構造
【図１】
0003209429.tif 000003
【図２】
0003209429.tif 000004
【図３】
0003209429.tif 000005
【図４】
0003209429.tif 000006
【図５】
0003209429.tif 000007